(57)【要約】【課題】安価で小型軽量化を図るとともに、動画撮影及び高精細な静止画撮影が実現されるようにする。【解決手段】動画撮影モードの場合、固体撮像素子１０６の読み出し領域を動画モード用に設定し、静止画撮影モードの場合、静止画記録の選択画像サイズがスモールかラージかに応じて固体撮像素子１０６の読み出し領域をスモールサイズの静止画用、ラージサイズの静止画用に設定する。さらに、静止画撮影モードの場合、現在の第２のレンズ群１０２位置での受光領域が固体撮像素子制御手段１０９が読み出そうとしている読み出し領域よりも小さければ、カメラ信号処理手段１０８に撮像信号の出力を禁止し、代わりに所定のミューティング信号を出力するように制御するとともに、受光領域を読み出し領域以上に設定すべく、第２のレンズ群１０２を望遠方向の所定位置まで強制的に移動させる。【選択図】　　　図１
2004056222.tif 000002
【特許請求の範囲】
【請求項１】
少なくとも変倍動作を行う変倍レンズ群を含む光学レンズ群を使用する撮像装置であって、
前記光学レンズ群を通過した被写体像を映像信号に変換する撮像素子と、
前記光学レンズ群位置を制御して前記撮像素子上の受光領域の大きさを変更する受光領域制御手段と、
前記撮像素子の有効画素領域中から任意の読み出し領域を映像信号として読み出す撮像素子制御手段と、
動画撮影モード時と静止画撮影モード時とで異なる読み出し領域を設定するとともに、前記静止画撮影モードにおける静止画記録の選択画像サイズに応じて異なる読み出し領域を設定する制御手段とを備えたことを特徴とする撮像装置。
【請求項２】
前記受光領域制御手段は、前記読み出し領域の一部しか受光領域となっていない場合に、前記読み出し領域全面が受光領域となるように前記光学レンズ群位置を制御することを特徴とする請求項１に記載の撮像装置。
【請求項３】
前記受光領域制御手段が前記読み出し領域全面が受光領域となるように前記光学レンズ群位置を制御する場合に、前記静止画記録の選択画像サイズに応じて複数の光学レンズ群位置制御目標を有することを特徴とする請求項２に記載の撮像装置。
【請求項４】
前記受光領域制御手段が前記光学レンズ群を制御して受光領域を変更する間は、前記撮像素子が受光した映像信号の出力を禁止する禁止手段を備えたことを特徴とする請求項２又は３に記載の撮像装置。
【請求項５】
前記受光領域制御手段が前記光学レンズ群を制御して受光領域を変更する間は、所定の画像を映像信号として出力する所定信号生成手段を備えたことを特徴とする請求項４に記載の撮像装置。
【請求項６】
少なくとも変倍動作を行う変倍レンズ群を含む光学レンズ群を使用し被写体像を映像信号に変換する撮像素子を有する撮像装置の制御方法であって、
前記光学レンズ群位置を制御して前記撮像素子上の受光領域の大きさを変更する手順と、
前記撮像素子の有効画素領域中から任意の読み出し領域を映像信号として読み出す手順とを有し、
動画撮影モード時と静止画撮影モード時とで異なる読み出し領域を設定するとともに、前記静止画撮影モードにおける静止画記録の選択画像サイズに応じて異なる読み出し領域を設定することを特徴とする撮像装置の制御方法。
【請求項７】
少なくとも変倍動作を行う変倍レンズ群を含む光学レンズ群を使用し被写体像を映像信号に変換する撮像素子を有する撮像装置を制御するためのプログラムであって、
前記光学レンズ群位置を制御して前記撮像素子上の受光領域の大きさを変更する処理と、
前記撮像素子の有効画素領域中から任意の読み出し領域を映像信号として読み出す処理とを実行し、
動画撮影モード時と静止画撮影モード時とで異なる読み出し領域を設定するとともに、前記静止画撮影モードにおける静止画記録の選択画像サイズに応じて異なる読み出し領域を設定することを特徴とするプログラム。
【請求項８】
請求項７に記載のプログラムを格納したことを特徴とするコンピュータ読み取り可能な記憶媒体。
【発明の詳細な説明】
【０００１】
【発明の属する技術分野】
本発明は、インナーフォーカスタイプのレンズシステムを搭載したビデオカメラ等の撮像装置、撮像装置の制御方法、プログラム、及びコンピュータ読み取り可能な記憶媒体に関するものであり、特に撮像領域が広い撮像素子を用いて撮像領域の異なる映像信号を生成し、これらの映像信号を切り替えて動作させるようにした場合に好適なものである。
【０００２】
【従来の技術】
図４は従来の撮像装置の概略構成を示すブロック図である。同図に示すように、撮像装置は、固体撮像素子５０１、固体撮像素子制御手段５０２、ＡＤ変換器５０３、カメラ信号生成手段５０４、ＤＡ変換器５０５、第１のクロック生成手段５０６、第２のクロック生成手段５０７、第１の制御信号生成手段５０８、第２の制御信号生成手段５０９、ローパスフィルタ手段５１０、間引き手段５１１、第１の変換手段５１２、第２の変換手段５１３、第３のクロック手段５１４、第３の制御信号生成手段５１５、選択手段５１６等により構成されている。
【０００３】
このような構成において、２つのクロックを切り替えることによって、固体撮像素子５０１の任意の領域の映像信号を選択的に読み出すことができるようになっている。したがって、動画撮影時には動画規格に必要な映像を撮影することができ、静止画撮影時にはより多くの画素を用いて高精細な映像を撮影することができる。
【０００４】
また、静止画記録媒体の画質設定、例えばスモール／ラージといった画像サイズの設定に応じて、スモールサイズでは小さな画素領域を、ラージサイズでは固体撮像素子５０１の全画素領域を読み出すように第１のクロック生成手段５０６と第２のクロック生成手段５０７を設定すれば、スモールサイズの画像データ量は、少ない画像圧縮率での記録が可能となるので、高品位な映像を短い記録時間で記録することが可能になる。
【０００５】
図５には、従来から用いられているインナーフォーカスタイプレンズシステムの構成を示す。同図において、１０１は固定された第１のレンズ群、１０２は変倍を行う第２のレンズ群、１０３は絞り、１０４は固定された第３のレンズ群、１０５は焦点調節機能と変倍による焦点面の移動を補正する所謂コンペ機能とを兼ね備えた第４のレンズ群（フォーカスレンズ）であり、かかるレンズシステムを透過した映像光は固体撮像素子１０６（図４に示した固体撮像素子５０１）の撮像面上で結像される。
【０００６】
公知のとおり、図５に示すように構成されたレンズシステムでは、フォーカスレンズ１０５が焦点調節機能とコンペ機能とを兼ね備えているため、焦点距離が等しくても、固体撮像素子１０６の撮像面上に合焦するためのフォーカスレンズ１０５の位置は被写体距離によって異なってしまう。
【０００７】
各焦点距離において被写体距離を変化させたとき、撮像面上に合焦させるためのフォーカスレンズ１０５の位置を連続してプロットすると、図６に示すようになる。変倍中は、被写体距離に応じて図６に示された軌跡を選択し、該軌跡通りにフォーカスレンズ１０５を移動させれば、ボケのないズームが可能になる。
【０００８】
近年、撮像装置の小型化のために、撮像素子上に受光される領域を焦点距離により可変とし、広角側での受光領域（所謂、有効像円径）を小さくすることによって、前玉レンズ（図５中第１のレンズ群１０１）の径を小さくする手法が採られている。例えば、動画規格より多くの画素を有する撮像素子を用い、ワイド側では動画規格の画素領域のみが受光でき、テレ側では撮像素子全面で受光できるように受光領域が変化するような撮像装置である。
【０００９】
かかる撮像装置では、動画規格の画素領域を切り出して、動画規格以上の画素に受光できる焦点距離から、その余剰画素分だけ切り出し位置を動かすことにより電子式の手振れ補正を行うことが可能となる。
【００１０】
図７（ａ）は焦点距離に対する有効像円径の変化特性の一例を示し、（ｂ）はワイド端での画素領域と有効像円径との関係、（ｃ）は特定の焦点距離４０１（（ａ）参照）での画素領域と有効像円径との関係をそれぞれ示す。
【００１１】
図７からわかるように、焦点距離に対し、ワイド端では切り出し位置を変化させると、撮影画面にケラレが生じるが、ポイント４０１以上の望遠側では、切り出し位置を変化させても画面のケラレは発生しないことがわかる。つまり、ポイント４０１より広角では防振範囲が限定（ワイド端では防振不能）されるのに対し、ポイント４０１より望遠では防振することが可能となる。
【００１２】
このように防振範囲の限定付きではあるが、レンズを小型化することで、撮像装置本体のコストダウン、小型軽量化という大きな利点が生み出されている。
【００１３】
【発明が解決しようとする課題】
しかしながら、上記従来例では、動画撮影用の第１のクロックと静止画撮影用の第２のクロックとで、固体撮像素子５０１の読み出し領域が異なる。例えば、図８（ａ）に示すように、第１のクロックでは固体撮像素子５０１中の被写体像の一部の領域（破線部）である領域の映像、すなわち図８（ｂ）を読み出す。それに対して、第２のクロックでは固体撮像素子５０１の全領域である映像、すなわち図８（ｃ）を読み出す。
【００１４】
そのため、上記のように動画と静止画の両者が撮影可能な撮像装置と小型軽量化に優れた有効像円径可変のレンズタイプとを組み合わせた場合、有効像円径が、例えば、図８（ａ）の最小有効像円径６０１のように放送方式に必要な画素領域のみが受光領域となっている場合、動画は撮影可能だが、静止画撮影のように固体撮像素子５０１の有効画素全面を使って映像信号を作る場合、画面のケラレが生じてしまうという問題があった。
【００１５】
また、有効像円径をいつでも図８（ａ）の最小有効像円径６０２のように設定していると、結局は前玉レンズの径を大きくしなければならず、レンズの小型化を図ることができないだけでなく、撮像装置本体の小型化のメリットが無くなってしまい、ユーザにとって高価で大きく重いカメラとなってしまっていた。
【００１６】
同様に、有効像円径が、例えば、最小有効像円径６０１のように静止画撮影時のスモールサイズの画素領域のみが受光領域となっている場合、スモールサイズ撮影は可能だが、ラージサイズ撮影のように固体撮像素子５０１の有効画素全面を使って映像信号を生成する場合では、画面のケラレが生じてしまうという問題があった。
【００１７】
本発明は上述の問題点を解消し、安価で小型軽量化を図るとともに、動画撮影及び高精細な静止画撮影が実現されるようにすることを目的とする。
【００１８】
【課題を解決するための手段】
本発明の撮像装置は、少なくとも変倍動作を行う変倍レンズ群を含む光学レンズ群を使用する撮像装置であって、前記光学レンズ群を通過した被写体像を映像信号に変換する撮像素子と、前記光学レンズ群位置を制御して前記撮像素子上の受光領域の大きさを変更する受光領域制御手段と、前記撮像素子の有効画素領域中から任意の読み出し領域を映像信号として読み出す撮像素子制御手段と、動画撮影モード時と静止画撮影モード時とで異なる読み出し領域を設定するとともに、前記静止画撮影モードにおける静止画記録の選択画像サイズに応じて異なる読み出し領域を設定する制御手段とを備えた点に特徴を有する。
【００１９】
また、本発明の撮像装置の他の特徴とするところは、前記受光領域制御手段は、前記読み出し領域の一部しか受光領域となっていない場合に、前記読み出し領域全面が受光領域となるように前記光学レンズ群位置を制御する点にある。
【００２０】
また、本発明の撮像装置の他の特徴とするところは、前記受光領域制御手段が前記読み出し領域全面が受光領域となるように前記光学レンズ群位置を制御する場合に、前記静止画記録の選択画像サイズに応じて複数の光学レンズ群位置制御目標を有する点にある。
【００２１】
また、本発明の撮像装置の他の特徴とするところは、前記受光領域制御手段が前記光学レンズ群を制御して受光領域を変更する間は、前記撮像素子が受光した映像信号の出力を禁止する禁止手段を備えた点にある。
【００２２】
また、本発明の撮像装置の他の特徴とするところは、前記受光領域制御手段が前記光学レンズ群を制御して受光領域を変更する間は、所定の画像を映像信号として出力する所定信号生成手段を備えた点にある。
【００２３】
本発明の撮像装置の制御方法は、少なくとも変倍動作を行う変倍レンズ群を含む光学レンズ群を使用し被写体像を映像信号に変換する撮像素子を有する撮像装置の制御方法であって、前記光学レンズ群位置を制御して前記撮像素子上の受光領域の大きさを変更する手順と、前記撮像素子の有効画素領域中から任意の読み出し領域を映像信号として読み出す手順とを有し、動画撮影モード時と静止画撮影モード時とで異なる読み出し領域を設定するとともに、前記静止画撮影モードにおける静止画記録の選択画像サイズに応じて異なる読み出し領域を設定する点に特徴を有する。
【００２４】
本発明のプログラムは、少なくとも変倍動作を行う変倍レンズ群を含む光学レンズ群を使用し被写体像を映像信号に変換する撮像素子を有する撮像装置を制御するためのプログラムであって、前記光学レンズ群位置を制御して前記撮像素子上の受光領域の大きさを変更する処理と、前記撮像素子の有効画素領域中から任意の読み出し領域を映像信号として読み出す処理とを実行し、動画撮影モード時と静止画撮影モード時とで異なる読み出し領域を設定するとともに、前記静止画撮影モードにおける静止画記録の選択画像サイズに応じて異なる読み出し領域を設定する点にある。
【００２５】
本発明のコンピュータ読み取り可能な記憶媒体は、上記プログラムを格納した点に特徴を有する。
【００２６】
上記のようにした本発明によれば、動画撮影や静止画撮影の撮影モード切替や静止画撮影モードにおける静止画記録の選択画像サイズの切替に合わせて、固体撮像素子中の映像信号読み出し領域を異ならせるよう設定することができる。そして、その読み出し領域を設定する際に、固体撮像素子の受光領域が映像信号読み出し領域以上になるようにレンズ群位置を制御することにより、焦点距離により有効像円径が変化する光学レンズユニットの利点を生かして、撮像装置本体の小型軽量化、コストダウンを図るとともに、高精細な静止画撮影を実現することが可能となる。
【００２７】
【発明の実施の形態】
以下、図面を参照して、本発明の撮像装置、撮像装置の制御方法、プログラム、及びコンピュータ読み取り可能な記憶媒体の実施の形態について説明する。
【００２８】
図１は本実施の形態の撮像装置の概略構成を示すブロック図である。同図に示すように、固定された第１のレンズ群１０１（前玉レンズ）、変倍を行うための第２のレンズ群１０２（変倍レンズ）、アイリス・ストップ等の絞り１０３、固定された第３のレンズ群１０４、焦点調節（フォーカシング）機能とコンペ機能とを兼ね備えた第４のレンズ群１０５（フォーカスレンズ）により、インナーフォーカスタイプのレンズシステムが構成される。
【００２９】
上記レンズシステムを透過した映像光は固体撮像素子１０６の撮像面上で結像され、光電変換により映像信号に変換される。その映像信号は、増幅器１０７で最適なレベルに増幅された後、カメラ信号処理手段１０８へと入力され、標準テレビ信号に変換される。
【００３０】
カメラ信号処理手段１０８では、入力されるデジタル映像信号に対し、アパーチャー処理、ガンマ補正処理、ニー処理、Ｙ／Ｃ分離処理等を行い、特に静止画撮影時には走査線数変換のための補間処理を行い１フレームの静止画像を出力する処理を行う。
【００３１】
また、カメラ信号処理手段１０８は、システム制御手段１１１からの指令に応じて、撮像信号の代わりに所定の画像信号（例えば、青色や白色や黒色等の色フェード信号や、図柄や文字を含んだ撮影者への警告画面の信号等）を出力可能とした所定信号生成部１０８ａを含み、所定の条件時には撮像信号をミューティングする処理を行う。
【００３２】
固体撮像素子制御部１０９は、システム制御手段１１１からの指令に応じて、固体撮像素子１０６を駆動し、信号の読み出しや電荷蓄積時間を制御する。特にシステム制御手段１１１から受け渡される撮影モードや静止画記録の選択画像サイズ（スモール／ラージ）に応じて、固体撮像素子１０６中の任意の領域の映像信号を読み出すような制御が可能である。
【００３３】
システム制御手段１１１は、ズーム駆動を行うためのモータドライバ１１２、絞り駆動手段１１６、フォーカス駆動を行うためのモータドライバ１１４、固体撮像素子制御手段１０９、カメラ信号処理手段１０８、レコーダ信号処理手段１１０を統合的に制御し、動画撮影時及び静止画撮影時及び静止画記録の選択画像サイズに応じて、それぞれが連動して適切な動作を行うよう指令を与えるものであり、マイコン等が制御プログラムを実行することにより構成される。
【００３４】
システム制御手段１１１は受光領域制御部１１１ｃを含み、詳細は後述するが、第２のレンズ群１０２位置を制御して固体撮像素子１０６の受光領域の大きさを変更する。
【００３５】
また、システム制御手段１１１は露出制御部１１１ａ、ＡＦ制御部１１１ｂを含み、露出制御、焦点調節制御を行う。カメラ信号処理手段１０８内の露出信号処理部１０８ｂ、ＡＦ（オートフォーカス）信号処理部１０８ｃで検波された評価値信号を通信を介して受け取り、露出制御部１１１ａ、ＡＦ制御部１１１ｂ内でのプログラム処理により、映像信号が適正露出となるように絞り駆動手段１１６を介してＩＧメータ１１７を駆動し、絞り１０３を制御して光量調節を行うとともに、ＡＦ評価信号の強度が最大になるように、モータドライバ１１４を介してフォーカスモータ１１５を駆動して焦点調節を行う。
【００３６】
また、ＡＦ制御部１１１ｂでは、図６に示したカム軌跡追従しながら合焦状態を維持するズーム制御プログラムやカム軌跡追従時に参照するレンズカムデータ（共に図示せず）を有しており、ズーミング動作時には、モータドライバ１１２を介してズームモータ１１３を駆動しつつ、合焦状態を維持するため、モータドライバ１１４を介してフォーカスモータ１１５を同時に駆動する。
【００３７】
システム制御手段１１１には、動画撮影モード又は静止画撮影モードを選択するための撮影モードスイッチ手段１１８、静止画撮影モードにおける静止画記録の画像サイズ選択スイッチ手段１２４、ズームスイッチ１１９（ユニット化されたズームスイッチで、操作部材の回転角度に応じた電圧が出力され、この出力電圧に応じて可変速ズームがなされる）、ＡＦ（オートフォーカス）／ＭＦ（マニュアルフォーカス）モードの切換スイッチ１２０が接続されており、これらスイッチの検出を行う。
【００３８】
カメラ信号処理手段１０８で生成された映像信号は、ファインダ等の表示手段１２１やレコーダ信号処理手段１１０に出力される。レコーダ信号処理手段１１０では、システム制御手段１１１から受け渡される撮影モード状態に応じ、記録媒体に最適となるよう映像信号を処理しつつ、動画記録手段１２２或いは静止画記録手段１２３に記録を行う。
【００３９】
以下、図２のフローチャートを参照して、本実施の形態の撮像装置において実行される受光領域制御処理について説明する。図２のフローチャートに示す処理は、システム制御手段１１１において１フィールド周期で実行される。本処理はサブルーチン化されており、詳細な説明は省略するが、本処理とは別の処理で、記録媒体への記録制御等のレコーダ制御や露出、焦点調節制御等のカメラ制御がなされているものとする。
【００４０】
なお、本実施の形態における固体撮像素子１０６の受光領域（すなわち有効像円径）は、図３に示す特性を有するものとして説明を行う。図３（ａ）は焦点距離に対する有効像円径の変化特性を示しており、ポイント８００が動画サイズの読み出し画像全面に受光可能な焦点距離、ポイント８０１が静止画スモールサイズの読み出し画像全面に受光可能な焦点距離、ポイント８０２が静止画ラージサイズの読み出し画像全面に受光可能な焦点距離を示す。
【００４１】
図３（ｂ）は動画サイズ８０５、静止画スモールサイズ８０４、静止画ラージサイズ８０３の読み出し領域と、ポイント８００での有効像円径すなわち受光領域８０６との関係を示した模式図である。図３（ｃ）は動画サイズ８０５、静止画スモールサイズ８０４、静止画ラージサイズ８０３の読み出し領域と、ポイント８０１での有効像円径すなわち受光領域８０７との関係を示した模式図である。図３（ｄ）は動画サイズ８０５、静止画スモールサイズ８０４、静止画ラージサイズ８０３の読み出し領域と、ポイント８０２での有効像円径すなわち受光領域８０８との関係を示した模式図である。
【００４２】
図２のフローチャートに説明を戻すと、まず撮影モード選択スイッチ手段１１８の状態を検出し、動画撮影モードか静止画撮影モードかを判別する（ステップＳ２０１）。動画撮影モードの場合、固体撮像素子１０６の読み出し領域を動画モード用（図３（ｂ）（ｃ）（ｄ）に示す領域８０５）に設定するとともに、レコーダ信号処理手段１１０に動画撮影モードであることを指示することで、動画用の記録媒体１２２を選択させて、ステップＳ２１４に進む。
【００４３】
静止画撮影モードの場合、画像サイズ選択スイッチ手段１２４の状態を検出し、選択画像サイズがスモールかラージかを判別する（ステップＳ２０３）。そして、選択画像サイズがスモールの場合、固体撮像素子１０６の読み出し領域をスモールサイズの静止画用（図３（ｂ）（ｃ）（ｄ）に示す領域８０４）に設定するとともに（ステップＳ２０４）、レコーダ信号処理手段１１０に静止画撮影モードであることを指示することで、静止画用の記録媒体１２３を選択させる。それに対して、選択画像サイズがラージの場合、固体撮像素子１０６の読み出し領域をラージサイズの静止画用（図３（ｂ）（ｃ）（ｄ）に示す領域８０３）に設定するとともに（ステップＳ２０５）、レコーダ信号処理手段１１０に静止画撮影モードであることを指示することで、静止画用の記録媒体１２３を選択させる。
【００４４】
次に、１フィールド前に選択された読み出し画素領域と現在設定された読み出し画素領域とが同じであるかどうかを判別する（ステップＳ２０６）。同じ場合には、１フィールド前から読み出し画像領域が変化していないとしてステップＳ２１４に進む。異なる場合には、今回の読み出し画像領域が切り替わったとしてステップＳ２０７に進み、現在の第２のレンズ群１０２位置での受光領域が固体撮像素子制御手段１０９が読み出そうとしている読み出し領域よりも広範囲に渡っているかを判断する。
【００４５】
上記ステップＳ２０７において受光領域の方が大きい場合、ステップＳ２１４に進む。それに対して、受光領域の方が小さい場合、カメラ信号処理手段１０８に撮像信号の出力を禁止し、代わりに所定のミューティング信号を出力するように制御し、ファインダ等の表示手段１２１に所定画面が表示されるようにして、同時に記録媒体への記録動作も禁止する（ステップＳ２０８）。このように、受光領域の方が小さい場合、次に述べるように第２のレンズ群１０２を制御するが、その間に所定画像を表示することにより、撮影者に混乱を与えない撮像装置を実現することができる。
【００４６】
そして、受光領域を読み出し領域以上に設定すべく、第２のレンズ群１０２を望遠方向に強制的に移動させ（ステップＳ２０９）、静止画記録の選択画像サイズがスモールかラージかに応じて（ステップＳ２１０）、スモールサイズの場合には図３（ａ）のポイント８０１の焦点距離に到達するまで待機し（Ｓ２１１）、ラージサイズの場合には図３（ａ）のポイント８０２の焦点距離に到達するまで待機し（Ｓ２１２）、それぞれ到達後、第２のレンズ群１０２を停止させる（Ｓ２１３）。
【００４７】
ステップＳ２１４では、カメラ信号処理手段１０８に撮像信号の出力を許可して、ミューティングを解除し、同時に記録媒体への記録動作も許可し、今回選択されている画像サイズ状態のバックアップを行い（ステップＳ２１５）、次のフィールドの処理でのステップＳ２０６に用いることとして、本処理を終了する。
【００４８】
なお、上記ステップＳ２０１において動画撮影モードと判断された場合は、動画用に読み出される読み出し領域は、図３からも明らかなように、全ての焦点距離で受光領域以下の領域となるため、受光領域を強制的に広げるような変倍レンズ移動を行う必要がないので、そのままステップＳ２１４へ進む処理となっている。
【００４９】
また、ステップＳ２０６において１フィールド前と現在フィールドとで選択された読み出し画像領域の変更が無いと判断された場合は、すでに動画モードから静止画モードの切替、またはスモールモードからラージモードへの切替で、受光領域の設定が最適化されているので、強制的に変倍レンズ移動を行う必要がないので、そのままステップＳ２１４へ進む処理となっている。
【００５０】
さらに、ステップＳ２０７において、既に受光領域が固体撮像素子制御手段１０９が読み出そうとしている読み出し領域よりも広範囲に渡っている場合にも、変倍レンズ移動を行う必要がないので、そのままステップＳ２１４へ進む処理となっている。
【００５１】
以上説明したように、放送方式よりも多い画素数をもつ固体撮像素子を用い、固体撮像素子の受光領域が、広角で少なくとも選択される読み出し画像サイズの最小領域以上の大きさで、望遠になるに従い受光領域が広がるような有効像円径可変のレンズシステムを組み合わせつつ、撮影モードや静止画記録の選択画像サイズに合わせて、使用される画素領域（読み出し領域）以上の受光領域となるように変倍レンズを制御するので、撮像画面のケラレ等が発生することなく、高精細な静止画撮影可能な撮像装置を安価で小型軽量化というユーザにとって魅力ある製品として提供することが可能となる。
【００５２】
また特に、静止画記録媒体の画質設定、例えばスモール／ラージといった画像サイズの設定に応じ、スモールサイズでは小さな画素領域全面が受光領域となるように、ラージサイズでは固体撮像素子の全画素領域が受光領域となるように制御することができるので、レンズの小型化を生かしながら、最適な画像データ量選択を行うことができ、高品位な映像を短い記録時間で記録できる撮像装置を提供することが可能となる。
【００５３】
（その他の実施の形態）
上述した実施の形態の機能を実現するべく各種のデバイスを動作させるように、該各種デバイスと接続された装置或いはシステム内のコンピュータに対し、上記実施の形態の機能を実現するためのソフトウェアのプログラムコードを供給し、そのシステム或いは装置のコンピュータ（ＣＰＵ或いはＭＰＵ）に格納されたプログラムに従って上記各種デバイスを動作させることによって実施したものも、本発明の範疇に含まれる。
【００５４】
また、この場合、上記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００５５】
さらに、上記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００５７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００５８】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００５９】
【発明の効果】
以上述べたように本発明によれば、安価で小型軽量化を図るとともに、動画撮影及び高精細な静止画撮影を実現することができる。
【図面の簡単な説明】
【図１】本実施の形態の撮像装置の概略構成を示すブロック図である。
【図２】本実施の形態における受光領域制御処理を説明するためのフローチャートである。
【図３】本実施の形態における固体撮像素子１０６の受光領域について説明するための図である。
【図４】従来の撮像装置の概略構成を示すブロック図である。
【図５】インナーフォーカスタイプレンズシステムの構成を示す図である。
【図６】各焦点距離において被写体距離を変化させたとき、撮像面上に合焦させるためのフォーカスレンズの位置を連続してプロットした図である。
【図７】受光領域について説明するための図である。
【図８】読み出し領域について説明するための図である。
【符号の説明】
１０１　　　第１のレンズ群（前玉レンズ）
１０２　　　第２のレンズ群（変倍レンズ）
１０３　　　絞り
１０４　　　第３のレンズ群
１０５　　　第４のレンズ群１０５（フォーカスレンズ）
１０６　　　固体撮像素子
１０７　　　増幅器
１０８　　　カメラ信号処理手段
１０８ａ　　所定信号生成部
１０８ｂ　　露出信号処理部
１０８ｃ　　ＡＦ（オートフォーカス）信号処理部
１０９　　　固体撮像素子制御部
１１０　　　レコーダ信号処理手段
１１１　　　システム制御手段
１１１ａ　　露出制御部
１１１ｂ　　ＡＦ制御部
１１１ｃ　　受光領域制御部
１１２　　　モータドライバ
１１３　　　ズームモータ
１１４　　　モータドライバ
１１５　　　フォーカスモータ
１１６　　　絞り駆動手段
１１７　　　ＩＧメータ
１１８　　　撮影モードスイッチ手段
１１９　　　ズームスイッチ
１２０　　　切換スイッチ
１２１　　　表示手段
１２２　　　動画記録手段
１２３　　　静止画記録手段
１２４　　　画像サイズ選択スイッチ手段
【図１】
2004056222.tif 000003
【図２】
2004056222.tif 000004
【図３】
2004056222.tif 000005
【図４】
2004056222.tif 000006
【図５】
2004056222.tif 000007
【図６】
2004056222.tif 000008
【図７】
2004056222.tif 000009
【図８】
2004056222.tif 000010